(57)【要約】【課題】遊技機用ワンチップＣＰＵ毎に付与された固有の識別情報を読み出す検査に加えて、遊技機用ワンチップＣＰＵ以外の電気・電子部品が改竄部品に換装された不正な遊技制御装置が使用されていないかも検査できる遊技機検査システムを提供する。【解決手段】遊技機制御基板２の遊技機用ワンチップＣＰＵ２１に付与されたＩＤを検査装置３が読み出して正規品か否かを判定する検査に際して、Ｉ／Ｏポート２３と一体化した検査信号判定手段２５が検査信号取得ラインＬ１を介して取得した検査信号に基づいて検査の適否を判定し、判定結果出力ラインＬ２を介してＬＥＤ２６の点灯・消灯を制御して判定結果を可視表示するので、Ｉ／Ｏポート２３が不正な部品に換装されて検査信号判定手段２５の機能が無くなると、ＬＥＤ２６による判定結果表示が適正に行われなくなるので、Ｉ／Ｏポート２３の不正改竄を判定できる。【選択図】図３
2006345985.tif 000002
【特許請求の範囲】
【請求項１】
外部との通信機能を有すると共に検査信号による適正検査が可能な遊技機用コンピュータを備える遊技制御装置により制御される遊技機と、該遊技機の遊技機用コンピュータと通信を行って遊技機用コンピュータの適否を検査する検査装置と、からなる遊技機検査システムにおいて、
前記遊技機は、
検査装置と遊技機用コンピュータとの間で交わされる検査信号を取得可能な検査信号取得手段と、
前記検査信号取得手段により取得した検査信号に基づいて、遊技機用コンピュータの適正検査が信頼できるか否かを判定する検査信号判定手段と、
前記検査信号判定手段の判定結果を報知する判定結果報知手段と、
を備え、
前記検査信号判定手段は、遊技制御装置を構成する電気・電子部品と一体に設けることを特徴とする遊技機検査システム。
【請求項２】
前記検査信号判定手段は、検査装置から遊技機用コンピュータへ送信される送信信号が予め定めた判定条件を満たすか否かに基づいて信頼できるか否かを判定することを特徴とする請求項１に記載の遊技機検査システム。
【請求項３】
前記検査信号判定手段は、遊技機用コンピュータから検査装置へ送信される送信信号が予め定めた判定条件を満たすか否かに基づいて信頼できるか否かを判定することを特徴とする請求項１に記載の遊技機検査システム。
【請求項４】
前記検査信号判定手段は、検査装置から遊技機用コンピュータへ送信される検査コマンド信号が予め定めた第１判定条件を満たし、該検査コマンドを受信した遊技機用コンピュータから検査装置へ送信される検査レスポンス信号が予め定めた第２判定条件を満たすことで、遊技機用コンピュータの適正検査が信頼できると判定することを特徴とする請求項１に記載の遊技機検査システム。
【発明の詳細な説明】
【技術分野】
【０００１】
本発明は、外部との通信機能を有すると共に検査信号による適正検査が可能な遊技機用コンピュータを備える遊技制御装置により制御される遊技機と、該遊技機の遊技機用コンピュータと通信を行って遊技機用コンピュータの適否を検査する検査装置と、からなる遊技機検査システムに関する。
【背景技術】
【０００２】
パチンコ機やスロットマシンなどの遊技機は、通常、遊技制御用プログラム等が格納されたＲＯＭを内蔵するワンチップ・マイクロコンピュータ（以下、遊技機用ワンチップＣＰＵという）を主要部品とする遊技機制御基板を収納ケースに収めた制御装置により制御されている。
【０００３】
上述した遊技機用ワンチップＣＰＵは、大当りの確率等遊技機の重要な特性に直接関与しているので、偽造された遊技機用ワンチップＣＰＵと不正に交換されたり、あるいは偽造された遊技機用ワンチップＣＰＵが装着された遊技機制御基板をケースごと不正に交換されたりすると、試験機関による試験に適合した適正な遊技機とは異なる遊技機になってしまい、遊技店や遊技客に不測の損害を与えることとなる。
【０００４】
そこで、遊技機用ワンチップＣＰＵの偽造を防止する、或いは、偽造されたことを容易に発見できるような技術として、各々個別のＩＤ（固有の識別情報）を遊技機用ワンチップＣＰＵに設定しておくと共に、特別な装置（例えば、ＩＤ読取装置などの検査装置）を用いなければ遊技機用ワンチップＣＰＵに設定されたＩＤを読み出せないように構成することでＩＤの秘匿性を高め、偽造された遊技機用ワンチップＣＰＵの発見を容易にし、且つ遊技機用ワンチップＣＰＵの偽造を困難にする技術が提案されている（例えば、特許文献１を参照）。
【０００５】
【特許文献１】特開２０００−２６２７１０号公報
【発明の開示】
【発明が解決しようとする課題】
【０００６】
しかしながら、上記特許文献１に記載の技術では、検査装置が検査する遊技機用ワンチップＣＰＵが適正である否かの検査を行うことはできるものの、その検査対象である遊技機用ワンチップＣＰＵが遊技制御を適正に行っているかどうかまでは判定できないという問題点がある。
【０００７】
例えば、遊技機制御基板に正規の遊技機用ワンチップＣＰＵとは別に不正な遊技機用ワンチップＣＰＵを設け、実際の遊技制御は不正な遊技機用ワンチップＣＰＵが行うように改竄された不正な遊技制御装置が遊技機に取り付けられた場合、検査装置によるＣＰＵ検査においては、当然ながら正規の遊技機用ワンチップＣＰＵから正規のＩＤが読み出されるために、遊技機用ワンチップＣＰＵが適正と判定されてしまい、遊技制御装置自体に不正改竄が行われていることを検出できないのである。
【０００８】
なお、不正な遊技機用ワンチップＣＰＵを取り付ける不正において、遊技機制御基板上にある各種電気・電子部品の数や配置が異なっていると不正改竄が容易に露見してしまうので、遊技機制御基板の外観を正規品と同じ外観に保持するよう、遊技機用ワンチップＣＰＵ以外の電気・電子部品と不正な遊技機用ワンチップＣＰＵを一体化してしまう不正手法が採られており、例えば、比較的大きなＩＣチップ構造のＩ／Ｏポートが改竄部品として使われることがある。このような不正改竄に際しては、正規の遊技機用ワンチップＣＰＵからＩ／Ｏポートへの配線を切断し、Ｉ／Ｏポート機能と不正な遊技機用ワンチップＣＰＵとを一体に樹脂モールドした改竄チップを正規のＩ／Ｏポートチップと交換するのである。かくすれば、不正な遊技機用ワンチップＣＰＵは遊技制御に必要な各種センサ情報をＩ／Ｏポートから取得できると共に、Ｉ／Ｏポートを介して各種遊技機器へ動作制御信号を出力できるので、不正な遊技機用ワンチップＣＰＵによる遊技制御が容易に実現されることとなる。
【０００９】
このように、不正な遊技機用ワンチップＣＰＵを一体化した不正な電気・電子部品に換装する不正改竄が遊技制御装置に対して行われた場合、従来の如く、正規の遊技機用ワンチップＣＰＵと検査装置とで行うＣＰＵ検査の結果のみでは、遊技制御装置が適正であると判定できないという問題があった。
【００１０】
そこで、本発明は、遊技機用ワンチップＣＰＵ毎に付与された固有の識別情報を読み出して検査できるだけではなく、遊技機用ワンチップＣＰＵ以外の電気・電子部品が改竄部品に換装された不正な遊技制御装置が使用されていないかをも検査できる遊技機検査システムの提供を目的とする。
【課題を解決するための手段】
【００１１】
上記の課題を解決するために、請求項１に係る発明検査システムは、外部との通信機能を有すると共に検査信号による適正検査が可能な遊技機用コンピュータを備える遊技制御装置により制御される遊技機と、該遊技機の遊技機用コンピュータと通信を行って遊技機用コンピュータの適否を検査する検査装置と、からなる遊技機検査システムにおいて、前記遊技機は、検査装置と遊技機用コンピュータとの間で交わされる検査信号を取得可能な検査信号取得手段と、前記検査信号取得手段により取得した検査信号に基づいて、遊技機用コンピュータの適正検査が信頼できるか否かを判定する検査信号判定手段と、前記検査信号判定手段の判定結果を報知する判定結果報知手段と、を備え、前記検査信号判定手段は、遊技制御装置を構成する電気・電子部品と一体に設けることを特徴とする。
【００１２】
また、請求項２に係る発明は、前記請求項１に記載の遊技機検査システムにおいて、前記検査信号判定手段は、検査装置から遊技機用コンピュータへ送信される送信信号が予め定めた判定条件を満たすか否かに基づいて信頼できるか否かを判定することを特徴とする。
【００１３】
また、請求項３に係る発明は、前記請求項１に記載の遊技機検査システムにおいて、前記検査信号判定手段は、遊技機用コンピュータから検査装置へ送信される送信信号が予め定めた判定条件を満たすか否かに基づいて信頼できるか否かを判定することを特徴とする。
【００１４】
また、請求項４にかかる発明は、前記請求項１に記載の遊技機検査システムにおいて、前記検査信号判定手段は、検査装置から遊技機用コンピュータへ送信される検査コマンド信号が予め定めた第１判定条件を満たし、該検査コマンドを受信した遊技機用コンピュータから検査装置へ送信される検査レスポンス信号が予め定めた第２判定条件を満たすことで、遊技機用コンピュータの適正検査が信頼できると判定することを特徴とする。
【発明の効果】
【００１５】
請求項１に係る遊技機検査システムによれば、前記遊技機は、検査装置と遊技機用コンピュータとの間で交わされる検査信号を取得可能な検査信号取得手段と、前記検査信号取得手段により取得した検査信号に基づいて、遊技機用コンピュータの適正検査が信頼できるか否かを判定する検査信号判定手段と、前記検査信号判定手段の判定結果を報知する判定結果報知手段と、を備え、前記検査信号判定手段は、遊技制御装置を構成する電気・電子部品と一体に設けるので、遊技機用コンピュータの適正検査が信頼できるかを検査信号判定手段の機能によって判定できることに加え、この検査信号判定手段が一体に設けられた電気・電子部品が不正部品に交換された場合には、判定結果報知手段による適正な判定結果の報知が行われないことで、遊技制御装置に対する不正改竄を知ることができる。
【００１６】
請求項２に係る遊技機検査システムによれば、前記検査信号判定手段は、検査装置から遊技機用コンピュータへ送信される送信信号が予め定めた判定条件を満たすか否かに基づいて信頼できるか否かを判定するので、検査装置が不正であることに起因して遊技機用コンピュータの適正検査が信頼できないことを検査信号判定手段により判定できる。
【００１７】
請求項３に係る遊技機検査システムによれば、前記検査信号判定手段は、遊技機用コンピュータから検査装置へ送信される送信信号が予め定めた判定条件を満たすか否かに基づいて信頼できるか否かを判定するので、遊技機用ワンチップＣＰＵが不正であることに起因して遊技機用コンピュータの適正検査が信頼できないことを検査信号判定手段により判定できる。
【００１８】
請求項４に係る遊技機検査システムによれば、  前記検査信号判定手段は、検査装置から遊技機用コンピュータへ送信される検査コマンド信号が予め定めた第１判定条件を満たし、該検査コマンドを受信した遊技機用コンピュータから検査装置へ送信される検査レスポンス信号が予め定めた第２判定条件を満たすことで、遊技機用コンピュータの適正検査が信頼できると判定するので、検査装置もしくは遊技機用ワンチップＣＰＵの一方が不正である場合も、検査装置および遊技機用ワンチップＣＰＵの両方が不正である場合も、遊技機用コンピュータの適正検査が信頼できないことを検査信号判定手段により厳格に判定できる。
【発明を実施するための最良の形態】
【００１９】
以下、本発明の望ましい実施形態を添付図面に基づいて詳細に説明する。
【００２０】
図１は、遊技機検査システムの全体構成を示すもので、遊技機１の遊技機制御基板２に検査装置３を接続して、遊技機制御基板２の主たる制御を司る遊技機用コンピュータ（ＲＯＭ，ＲＡＭ，ＣＰＵを集約してワンチップＩＣ化した遊技機用ワンチップＣＰＵ）に付与されたＩＤ（固有識別情報）による検査を行う。なお、検査結果の報知に際しては、検査装置３の表示画面にて文字等を表示したり、青ランプや赤ランプの点灯・点滅で表示したり、スピーカから音声出力したり、その他、公知既存の如何様な報知手法を用いても構わない。
【００２１】
図２は、遊技機１が備える遊技機制御装置２０の分解斜視図で、透明樹脂を成型した第１収納部材２ａと第２収納部材２ｂとにより形成される収納ケース内に遊技機制御基板２を収納することで、遊技機制御装置２０が構成される。なお、第１，第２収納部材２ａ，２ｂから視認できる遊技機制御基板２には、各種の電気・電子部品が実装されているが、図２においては、遊技の主たる制御を司る遊技機用ワンチップＣＰＵ２１、該遊技機用ワンチップＣＰＵ２１と検査装置３との通信を中継する検査端子２２、複数の入出力用チャンネルを備える集積回路構成のＩ／Ｏポート２３、各種センサや各種装置等の信号線を接続するコネクタ部２４のみを示した。
【００２２】
また、第１，第２収納部材２ａ，２ｂにより遊技機制御基板２が収納された際には、少なくとも、検査端子２２とコネクタ部２４がケース外に露出することで、遊技制御装置２０の外部と結線できるようになる。更に、第１収納部材２ａと第２収納部材２ｂとを固定する際には、容易に再分離出来ない固定構造を採用することが望ましく、再分離した場合には、第１収納部材２ａと第２収納部材２ｂとを分離した痕跡を残すことで、遊技機制御基板２に対する改竄の有無の目安となるようにしても良い。
【００２３】
図３は、遊技機１の内部構成を示すもので、遊技機制御基板２に実装された遊技機用ワンチップＣＰＵ２１は、検査端子２２を介して上記検査装置３との通信を行うと共に、Ｉ／Ｏポート２３が備えるＡチャンネル２３ａ，Ｂチャンネル２３ｂ，Ｃチャンネル２３ｃ，Ｄチャンネル２３ｄ…等の複数の入出力チャンネルと接続されており、これらＡ〜Ｄチャンネル２３ａ〜２３ｄは、遊技機１に設けられたセンサ４（ＯＮ／ＯＦＦの２状態を信号レベルにより表す各種スイッチや検出器など）、表示装置に対する制御を行う表示制御装置５、遊技媒体（パチンコ球やメダル）を排出する遊技媒体排出装置を制御する排出制御装置６、スピーカからの効果音出力や各種表示ランプの発光制御等による演出制御を行う演出制御装置７などに接続されている。
【００２４】
遊技機用ワンチップＣＰＵ２１と検査端子２２を介して接続される検査装置３は、非公開の通信プロトコルにより遊技機用ワンチップＣＰＵ２１と通信を行い、この遊技機用ワンチップＣＰＵ２１に付与されたＩＤ（固有の識別情報）を手掛かりに真贋を判定する。本実施形態における遊技機用ワンチップＣＰＵ２１の適正判定は、検査装置３から所定の検査コマンドが遊技機用ワンチップＣＰＵ２１に送信され、この検査コマンドを受けた遊技機用ワンチップＣＰＵ２１が該コマンドに対する所定の検査レスポンスを検査装置３へ送信し、この検査レスポンスを受信した検査装置３が検査レスポンスに基づいて遊技機用ワンチップＣＰＵ２１の適否を判定するものとした。なお、検査装置３の取り扱いは、警察官のように不正を行わないことが明らかな者にしか認めないものとし、検査装置３が分解、解析されたり、検査装置３と遊技機用ワンチップＣＰＵ２１との通信が解析されたりすることを防止し、検査コマンドと検査レスポンスの秘匿性が保たれるようにする。
【００２５】
しかして、前記Ｉ／Ｏポート２３の内部には、複数のチャンネル２３ａ〜２３ｄとは独立した検査信号判定手段２５を設け、遊技機用ワンチップＣＰＵ２１と検査端子２２とを接続する信号線を分岐させることで検査装置３と遊技機用ワンチップＣＰＵ２１との間で交わされる検査信号を取得可能な検査信号取得手段としての検査信号取得ラインＬ１を形成し、この検査信号取得ラインＬ１を介して検査信号が検査信号判定手段２５へ供給されるものとした。この検査信号判定手段２５は、検査信号に基づいて遊技機用ワンチップＣＰＵ２１の適正検査が信頼できるか否かを判定するもので、その結果は、判定結果出力ラインＬ２を介して判定結果報知用のＬＥＤ２６へ出力され、該ＬＥＤ２６の点灯状態から検査信号判定手段２５の判定結果を視認できるようにした。
【００２６】
なお、Ｉ／Ｏポート２３の内部に設けた検査信号判定手段２５は、検査装置３から遊技機用ワンチップＣＰＵ２１への検査コマンドと、遊技機用ワンチップＣＰＵ２１から検査装置３への検査レスポンスとを読み込むだけであり、検査装置３や遊技機用ワンチップＣＰＵ２１へ何ら信号出力するものではないので、検査装置３と遊技機用ワンチップＣＰＵ２１との間で交わされる信号に何ら影響を与えることはなく、検査装置３を用いた従来の遊技機用ワンチップＣＰＵ２１の検査方法を変更する必要はないという利点がある。しかも、検査信号判定手段２５は、Ｉ／Ｏポート２３内部の何れのチャンネルからも独立しているので、この検査信号判定手段２５の動作が遊技制御動作に影響を与えることはなく、遊技中であっても検査信号判定手段２５による適否判定を行うことが可能である。
【００２７】
また、本実施形態においては、検査信号判定手段２５の判定結果を報知する判定結果報知手段として、判定結果出力ラインＬ２とＬＥＤ２６を用いて視覚的報知を行うものとしたが、これに限らず、公知既存の報知手法を適宜採用して構わない。例えば、遊技機制御基板２上に設けたスピーカや電子ブザーを鳴らして聴覚的に報知しても良い。
【００２８】
次に、検査信号判定手段２５による判定動作の具体例を説明する。図４のフローチャートは、検査信号判定手段２５が行う判定動作処理の第１構成例を示す。
【００２９】
遊技機の電源投入やリセット操作等に基づいて、検査信号判定手段２５による判定動作が開始されると、先ず、ＬＥＤ２６の表示出力をクリアし（ステップＳ１１）、検査信号取得ラインＬ１の信号を監視し、検査装置３から遊技機用ワンチップＣＰＵ２１への検査コマンドを受信したか否かを判定する（ステップＳ１２）。検査コマンドを受信したと判定されると、受信した検査コマンドが適正コマンドを意味する“０１ｈ”であるか否かを判定する（ステップＳ１３）。
【００３０】
なお、検査装置３による遊技機用ワンチップＣＰＵ２１の検査に際しては、図５に示すように、最初に検査装置３から遊技機用ワンチップＣＰＵ２１へ適正な検査コマンド０１ｈが送信される第１判定条件が達成され、この適正な検査コマンド０１ｈを受信した遊技機用ワンチップＣＰＵ２１から検査装置３へ適正な検査レスポンス０２ｈが所定時間以内に返信される第２判定条件が達成されれば、遊技機検査の結果は正常となる（図５（ａ）を参照）。これに対して、検査装置３から適正な検査コマンド０１ｈが遊技機用ワンチップＣＰＵ２１へ送信されない場合は元より、遊技機用ワンチップＣＰＵ２１から検査装置３へ異常な検査レスポンス０３ｈが送信された場合（図５（ｂ）を参照）も、遊技機検査の結果は異常となる。そして、検査信号判定手段２５による判定動作も、検査装置３と遊技機用ワンチップＣＰＵ２１との検査条件に沿って行う。
【００３１】
上記ステップＳ１３において、受信した検査コマンドが“０１ｈ”に該当していなければ、再びステップＳ１２へ戻り、検査コマンドの受信を監視する。このように、検査装置３が適正な検査コマンドを送信しない不正な装置である場合には、ＬＥＤ２６の表示がクリアされたままであることから、検査装置３による遊技機用ワンチップＣＰＵ２１の適正検査が信頼できないと判定したことになる。
【００３２】
一方、上記ステップＳ１３において、受信したコマンドが“０１ｈ”に該当していると判定された場合には、適正な検査コマンド０１ｈを受信した遊技機用ワンチップＣＰＵ２１から検査装置３へ検査レスポンスが返信されるのに必要十分な時間を計時するレスポンス監視タイマをセットし（ステップＳ１４）、遊技機用ワンチップＣＰＵ２１から検査装置３へ送信された検査レスポンスを受信したか否かを判定する（ステップＳ１５）。
【００３３】
上記ステップＳ１５において、検査レスポンスを受信していないと判定された場合には、ステップＳ１４にてセットしたレスポンス監視タイマがタイムアップしたか否かを判定し（ステップＳ１６）、未だレスポンス監視タイマがタイムアップしていなければ、ステップＳ１５に戻って検査レスポンスの受信監視を続ける。
【００３４】
そして、上記ステップＳ１６にて、検査レスポンスの受信を確認できないままレスポンス監視タイマがタイムアップしたと判定された場合には、再びステップＳ１２へ戻り、検査コマンドの受信を監視する。このように、遊技機用ワンチップＣＰＵ２１から所定時間以内に検査レスポンス信号が検査装置３へ送信されない場合には、ＬＥＤ２６の表示がクリアされたままであることから、検査装置３による遊技機用ワンチップＣＰＵ２１の適正検査が信頼できないと判定したことになる。
【００３５】
また、上記ステップＳ１５において検査レスポンスを受信したと判定された場合には、その検査レスポンスが適正なレスポンスを意味する“０２ｈ”であるか否かを判定し（ステップＳ１７）、検査レスポンスが“０２ｈ”に該当していないと判定した場合には、再びステップＳ１２へ戻り、検査コマンドの受信を監視する。このように、遊技機用ワンチップＣＰＵ２１から適正な検査レスポンス信号０２ｈが検査装置３へ送信されない場合には、ＬＥＤ２６の表示がクリアされたままであることから、検査装置３による遊技機用ワンチップＣＰＵ２１の適正検査が信頼できないと判定したことになる。
【００３６】
一方、上記ステップＳ１７において、受信した検査レスポンスが“０２ｈ”であると判定された場合には、判定結果出力ラインＬ２を介して表示信号を出力し、ＬＥＤ２６を正常表示（例えば点灯状態）にする（ステップＳ１８）。このように、本実施形態に係る遊技機１における検査信号判定手段は、検査コマンドと検査レスポンスの適正な組合せを評価し、それが正しい組合せである場合に限って、遊技機検査が信頼できるという判定結果を出力するので、検査装置もしくは遊技機用ワンチップＣＰＵのどちらか一方が不適正な場合でも厳格に信頼性を判定できるのである。
【００３７】
さらに、検査装置３が送信する検査コマンドと遊技機用ワンチップＣＰＵ２１が送信する検査レスポンスは、上述した如く非公開のプロトコルであるので、そのような特定の組合せの通信に対する信頼性を適切に評価し、その結果をＬＥＤ２６にて表示できる検査信号判定手段２５を製造することができるのは、遊技機用ワンチップＣＰＵ２１の製造メーカーに限られることから、この適正な検査信号判定手段２５を一体に備えるＩ／Ｏポート２３は、遊技機用ワンチップＣＰＵ２１の製造メーカーと同一メーカーが製造したものと判定できる。
【００３８】
すなわち、検査装置３による遊技機用ワンチップＣＰＵ２１の検査に対する検査信号判定手段２５の判定状況から、検査信号判定手段２５自体の適否を判断することも可能なのである。
【００３９】
図６に基づいて、より具体的に説明すると、遊技機制御基板２のＩ／Ｏポートを不正Ｉ／Ｏポート２３′に換装すると共に、正規の遊技機用ワンチップＣＰＵ２１から不正Ｉ／Ｏポート２３′への接続ラインを断つ改竄が行われた場合、Ｉ／Ｏポート２３′内の不正ワンチップＣＰＵ２１′により実際の遊技機制御が行われる違法な改造機となるが、検査端子２２を介して接続した検査装置３によるＣＰＵ検査においては、正規品の遊技機用ワンチップＣＰＵ２１から適正なレスポンスが得られるため、検査装置３での検査結果は正常となってしまうのに対して、不正Ｉ／Ｏポート２３′には検査信号判定手段２５が設けられていないことから、ＬＥＤ２６には適正な判定結果が表示されず、Ｉ／Ｏポートが正規品ではないこと、すなわち、遊技機制御基板２に対して不正改竄が施されていることを知ることができる。
【００４０】
また、不正Ｉ／Ｏポート２３′内にダミーの検査信号判定手段を設け、検査信号取得ラインＬ１から検査信号らしき電位変化を検出した場合にＬＥＤ２６を点灯させるような不正改竄が行われることも予想される。しかしながら、遊技機用ワンチップＣＰＵ２１の製造メーカーでなければ、検査信号の適否を判定できないので、検査装置３から意図的に異常な検査コマンドを送信した場合に、ＬＥＤ２６が点灯表示（正常判定出力）したような場合、検査信号判定手段２５自体が改竄されていることを明確に判定できる。
【００４１】
このように、検査信号判定手段２５をＩ／Ｏポート２３に設けておけば、検査信号判定手段２５の機能によって、検査装置３を用いた遊技機用ワンチップＣＰＵ２１の適正検査が信頼できるかを判定できることに加え、この検査信号判定手段２５が一体に設けられた電気・電子部品であるＩ／Ｏポート２３が不正部品に交換された場合には、ＬＥＤ２６による適正な判定結果の報知が行われないことで、遊技制御装置２０に対する不正改竄を知ることができる。
【００４２】
なお、検査信号判定手段２５を設ける電気・電子部品はＩ／Ｏポート２３に限定されるものではなく、例えば、シリアル通信インターフェースやトランジスタアレイであっても良い。但し、それらの部品の機能と独立して検査信号判定手段が機能するようにしておくことが望ましい。また、検査信号判定手段２５は検査信号を監視するのみであって、何ら信号を出力するものではないし、検査信号を取得する検査信号取得線Ｌ１の分岐数を増やしても検査装置３と遊技機用ワンチップＣＰＵ２１との間で交わされる信号に影響はないので、複数の電気・電子部品に夫々検査信号判定手段２５を設け、各部品の検査信号判定手段２５が個別に判定動作を行う構成としても良い。
【００４３】
なお、上述した検査信号判定手段２５が行う判定動作処理の第１構成例においては、検査装置３と遊技機用ワンチップＣＰＵ２１との間で行われる検査に準じた第１判定条件と第２判定条件の２つが達成されたときに遊技機検査が信頼できると判定するものとしたが、検査信号判定手段２５による判定動作は、より簡易なものであっても構わない。
【００４４】
例えば、検査信号判定手段２５が判定する検査信号を検査コマンドだけとした処理（検査信号判定手段２５が行う判定動作処理の第２構成例）を、図７のフローチャートに基づいて説明する。
【００４５】
遊技機の電源投入やリセット操作等に基づいて、検査信号判定手段２５による判定動作が開始されると、先ず、ＬＥＤ２６の表示出力をクリアし（ステップＳ２１）、検査信号取得ラインＬ１の信号を監視しつつ検査装置３から遊技機用ワンチップＣＰＵ２１への検査コマンドの受信を待つ。検査信号取得ラインＬ１から検査コマンドを受信すると（ステップＳ２２）、受信した検査コマンドが適正コマンドを意味する“０１ｈ”であるか否かを判定する（ステップＳ２３）。
【００４６】
上記ステップＳ２３において検査コマンドが“０１ｈ”に該当していないと判定した場合には、再びステップＳ２２へ戻り、検査コマンドの受信を監視する。このように、検査装置３から遊技機用ワンチップＣＰＵ２１へ適正な検査コマンド信号０１ｈが送信されない場合には、ＬＥＤ２６の表示がクリアされたままであることから、検査装置３による遊技機用ワンチップＣＰＵ２１の適正検査が信頼できないと判定したことになる。
【００４７】
一方、上記ステップＳ２３において、受信した検査コマンドが“０１ｈ”であると判定された場合には、判定結果出力ラインＬ２を介して表示信号を出力し、ＬＥＤ２６を正常表示（例えば点灯状態）にする（ステップＳ２４）。このように、本構成例の検査信号判定手段２５は、検査信号取得ラインＬ１を介して受信した検査コマンドを適正な検査コマンドと比較し、適正な検査コマンドと一致した場合に限って、遊技機検査が信頼できるという判定結果を出力する。
【００４８】
なお、遊技機用ワンチップＣＰＵ２１の検査プロトコルから逸脱した検査コマンドが検査装置３から入力された場合、遊技機用ワンチップＣＰＵ２１は、異常な検査コマンドの受信に対して、何らレスポンスをしないか、或いは、正常な通信ではない旨のレスポンスをすることになるが、本構成例のような判定動作処理を検査信号判定手段２５が行う場合は、検査コマンドのみを判断の根拠としているので、遊技機用ワンチップＣＰＵ２１のレスポンス動作に影響されることはなく、どちらのレスポンスの場合にも対応できるという利点がある。また、遊技機用ワンチップＣＰＵ２１の検査プロトコルと検査信号判定手段２５が正常判定する検査コマンドには何ら相関のないものとなるため、遊技機用ワンチップＣＰＵ２１の検査の秘匿性に何ら影響を与えるものではないという利点がある。
【００４９】
次に、検査信号判定手段２５が判定する検査信号を検査レスポンスだけとした処理（検査信号判定手段２５が行う判定動作処理の第３構成例）を、図８のフローチャートに基づいて説明する。
【００５０】
遊技機の電源投入やリセット操作等に基づいて、検査信号判定手段２５による判定動作が開始されると、先ず、ＬＥＤ２６の表示出力をクリアし（ステップＳ３１）、検査信号取得ラインＬ１の信号を監視しつつ遊技機用ワンチップＣＰＵ２１から検査装置３への検査レスポンスの受信を待つ。検査信号取得ラインＬ１から検査レスポンスを受信すると（ステップＳ３２）、受信した検査レスポンスが適正なレスポンスを意味する“０２ｈ”であるか否かを判定する（ステップＳ３３）。
【００５１】
上記ステップＳ３３において検査レスポンスが“０２ｈ”に該当していないと判定した場合には、再びステップＳ３２へ戻り、検査レスポンスの受信を監視する。このように、検査装置３から遊技機用ワンチップＣＰＵ２１へ適正な検査レスポンス信号０２ｈが送信されない場合には、ＬＥＤ２６の表示がクリアされたままであることから、検査装置３による遊技機用ワンチップＣＰＵ２１の適正検査が信頼できないと判定したことになる。
【００５２】
一方、上記ステップＳ３３において、受信した検査レスポンスが“０２ｈ”であると判定された場合には、判定結果出力ラインＬ２を介して表示信号を出力し、ＬＥＤ２６を正常表示（例えば点灯状態）にする（ステップＳ３４）。このように、本構成例の検査信号判定手段２５は、検査信号取得ラインＬ１を介して受信した検査レスポンスを適正な検査レスポンスと比較し、適正な検査レスポンスと一致した場合に限って、遊技機検査が信頼できるという判定結果を出力する。
【００５３】
本構成例のような判定動作処理を検査信号判定手段２５が行う場合は、検査レスポンスのみを判断の根拠としているので、検査コマンドにかかわらず、遊技機用ワンチップＣＰＵ２１が所定の検査レスポンスをしたか否かのみで、ＣＰＵ検査が信頼できるか否かを判定できる。
【００５４】
なお、遊技機用ワンチップＣＰＵ２１の検査プロトコルから逸脱した検査コマンドが検査装置３から入力された場合に、遊技機用ワンチップＣＰＵ２１が、異常な検査コマンドの受信に対して、正常な通信ではない旨のレスポンス（例えば、０４ｈ）を行うよう設定された遊技機検査システムにおいて、検査信号判定手段２５が、検査レスポンスに対して“０２ｈ”との一致および“０４ｈ”との一致を識別判定できるものとし、検査レスポンスが“０２ｈ”と一致した場合には緑色ランプを点灯させ、検査レスポンスが“０４ｈ”と一致した場合には黄色ランプを点灯させ、検査レスポンスが“０２ｈ”とも“０４ｈ”とも一致しなかった場合には赤色ランプを点灯させるように設定しておくと、緑色ランプ点灯により検査装置３と遊技機用ワンチップＣＰＵ２１の両方が正常であると報知でき、黄色ランプ点灯により遊技機用ワンチップＣＰＵ２１は適正であるが検査装置３が不正であると報知でき、赤色ランプ点灯により少なくとも遊技機用ワンチップＣＰＵ２１が不正であることを報知できる。
【００５５】
以上、本発明に係る遊技機検査システムの実施形態を添付図面に基づいて詳述したが、本発明は、これに限定されるものではなく、特許請求の範囲に記載の構成を変更しない限り、種々の等価技術を採用して実現することが可能である。
【００５６】
例えば、上述した検査信号判定手段２５は、判定開始に伴ってＬＥＤ２６を一旦クリアすることで、判定結果が適正の場合はＬＥＤを点灯させ、不正の場合はＬＥＤを消灯のままとすることで、２つの判定結果を各々別の表示態様に対応させるものとしたが、これに限らず、検査信号の判定時に点灯状態であったＬＥＤを適正判定に伴って消灯させ、検査信号の判定時に消灯状態であったＬＥＤを適正判定に伴って点灯させるように、判定結果が適正であった場合には表示態様を他方に変更させる表示方式を採用しても良い。
【図面の簡単な説明】
【００５７】
【図１】本発明に係る遊技機検査システムの概略構成図である。
【図２】遊技機が備える遊技制御装置の分解斜視図である。
【図３】遊技機検査に関連する遊技機（適正）の概略構成図である。
【図４】検査信号判定手段が行う処理（第１構成例）を示すフローチャートである。
【図５】（ａ）は正常と判定される検査装置とＣＰＵ間の通信例であり、（ｂ）は異常と判定される検査装置とＣＰＵ間の通信例である。
【図６】遊技機検査に関連する遊技機（不正）の概略構成図である。表示制御装置へのコマンド送信による接続状態判定処理を示すフローチャートである。
【図７】検査信号判定手段が行う処理（第２構成例）を示すフローチャートである。
【図８】検査信号判定手段が行う処理（第３構成例）を示すフローチャートである。
【符号の説明】
【００５８】
１      遊技機
２      遊技機制御基板
２１    遊技機用ワンチップＣＰＵ
２２    検査端子
２３    Ｉ／Ｏポート
２５    検査信号判定手段
２６    ＬＥＤ
Ｌ１    検査信号取得ライン
Ｌ２    判定結果出力ライン
３      検査装置
【図１】
2006345985.tif 000003
【図２】
2006345985.tif 000004
【図３】
2006345985.tif 000005
【図４】
2006345985.tif 000006
【図５】
2006345985.tif 000007
【図６】
2006345985.tif 000008
【図７】
2006345985.tif 000009
【図８】
2006345985.tif 000010